(57)【要約】【課題】住宅の構造強度を維持しつつ、意匠性を向上させること。【解決手段】住宅（１）は、同一階において互いに隣接して配置された複数の部屋（８）と、複数の部屋（８）に跨って延在し、かつ、複数の部屋（８）の水平方向一端部から他端部までを横幅とする外壁部（２１）と、複数の部屋（８）それぞれの窓部（５１，５２）が帯状に連ねられ、外壁部（２１）の全横幅に亘って延在する連窓（５）とを備える。外壁部（２１）の少なくとも一部は、その横幅方向に沿って広がる開口部付きの耐力壁によって構成されており、連窓（５）は、耐力壁の開口部の位置に設けられている。【選択図】図１
2016132916.tif 000002
【特許請求の範囲】
【請求項１】
同一階において互いに隣接して配置された複数の部屋と、
前記複数の部屋に跨って延在し、かつ、前記複数の部屋の水平方向一端部から他端部までを横幅とする第１の外壁部と、
前記複数の部屋それぞれの窓部が帯状に連ねられ、前記第１の外壁部の全横幅に亘って延在する連窓とを備え、
前記第１の外壁部の少なくとも一部は、前記第１の外壁部の横幅方向に沿って広がる開口部付きの耐力壁によって構成されており、
前記連窓は、前記耐力壁の開口部の位置に設けられている、住宅。
【請求項２】
前記第１の外壁部の横幅方向一方端部に隣接する第２の外壁部と、
前記第２の外壁部に設けられ、前記連窓と連続的に配置された窓部とをさらに備える、請求項１に記載の住宅。
【請求項３】
前記第１の外壁部の横幅方向他方端部に隣接する第３の外壁部と、
前記第３の外壁部に設けられ、前記連窓と連続的に配置された窓部とをさらに備える、請求項１または２に記載の住宅。
【請求項４】
前記複数の部屋においては、互いに隣接する部屋の用途が異なっている、請求項１〜３のいずれかに記載の住宅。
【請求項５】
前記第１の外壁部が正面側に配置されている、請求項１〜４のいずれかに記載の住宅。
【請求項６】
前記第１の外壁部は、他の住宅の外壁と対面状態で配置されている、請求項１〜５のいずれかに記載の住宅。
【請求項７】
複数の住宅を備えた住宅群であって、
前記各住宅は、
同一階において互いに隣接して配置された複数の部屋と、
前記複数の部屋に跨って延在し、かつ、前記複数の部屋の水平方向一端部から他端部までを横幅とする外壁部と、
前記複数の部屋それぞれの窓部が帯状に連ねられ、前記外壁部の全横幅に亘って延在する連窓とを含み、
前記各住宅において、前記外壁部の少なくとも一部が、前記外壁部の横幅方向に沿って広がる開口部付きの耐力壁によって構成され、かつ、前記連窓が、前記耐力壁の開口部の位置に設けられており、
隣り合う住宅それぞれの前記連窓の設置高さは、異なっている、住宅群。
【請求項８】
前記隣り合う住宅それぞれの前記外壁部は、対面状態で配置されている、請求項７に記載の住宅群。
【請求項９】
前記複数の住宅は、通路に沿って隣り合っており、
前記外壁部は、前記通路に面して配置されている、請求項７に記載の住宅群。
【発明の詳細な説明】
【技術分野】
【０００１】
本発明は、住宅および住宅群であって、特に、外壁の少なくとも一部が耐力壁によって構成された住宅、および、このような住宅を複数戸備えた住宅群に関する。
【背景技術】
【０００２】
耐震性などの観点から、住宅の構造強度を維持するために、外壁の少なくとも一部が耐力壁によって構成された住宅が存在する。筋交方式などの一般的な耐力壁を採用した場合、窓のための開口部は、非耐力壁の部分に設けられる。
【０００３】
これに対し、特開２０１４−６６０６４号公報（特許文献１）および特開２０１４−９８２５９号公報（特許文献２）に示されるように、従来から、耐力壁が配置される部分に開口部を設けられるようにした耐力壁フレームが提案されている。この耐力壁フレームは、一対の柱と、柱間に両端が接合された、たとえば梯子状の耐力ユニットとで構成されている。
【０００４】
また、特開２０１３−１４４９０９号公報（特許文献３）には、補強用面材によって補強された、開口部付き耐力壁が開示されている。
【先行技術文献】
【特許文献】
【０００５】
【特許文献１】特開２０１４−６６０６４号公報
【特許文献２】特開２０１４−９８２５９号公報
【特許文献３】特開２０１３−１４４９０９号公報
【発明の概要】
【発明が解決しようとする課題】
【０００６】
上述のように、筋交方式などの一般的な耐力壁を採用した場合、外壁の窓は非耐力壁の部分にしか設けられないため、その配置位置に制約があった。また、特許文献１〜３のような開口部付きの耐力壁を用いた場合、耐力壁の部分にも窓を設けることができるものの、意匠性に考慮した窓のレイアウトは提案されていなかった。
【０００７】
本発明は、上記のような課題を解決するためになされたものであって、その目的は、構造強度を維持しつつ、意匠性を向上させることのできる住宅および住宅群を提供することである。
【課題を解決するための手段】
【０００８】
この発明のある局面に従う住宅は、同一階において互いに隣接して配置された複数の部屋と、複数の部屋に跨って延在し、かつ、複数の部屋の水平方向一端部から他端部までを横幅とする第１の外壁部と、複数の部屋それぞれの窓部が帯状に連ねられ、第１の外壁部の全横幅に亘って延在する連窓とを備える。第１の外壁部の少なくとも一部は、第１の外壁部の横幅方向に沿って広がる開口部付きの耐力壁によって構成されており、連窓は、耐力壁の開口部の位置に設けられている。
【０００９】
好ましくは、第１の外壁部の横幅方向一方端部に隣接する第２の外壁部と、第２の外壁部に設けられ、連窓と連続的に配置された窓部とをさらに備える。
【００１０】
また、第１の外壁部の横幅方向他方端部に隣接する第３の外壁部と、第３の外壁部に設けられ、連窓と連続的に配置された窓部とをさらに備えていてもよい。
【００１１】
好ましくは、複数の部屋においては、互いに隣接する部屋の用途が異なっている。
【００１２】
好ましくは、第１の外壁部が正面側に配置されている。
【００１３】
第１の外壁部は、他の住宅の外壁と対面状態で配置されていてもよい。
【００１４】
この発明の他の局面に従う住宅群は、複数の住宅を備えた住宅群である。各住宅は、同一階において互いに隣接して配置された複数の部屋と、複数の部屋に跨って延在し、かつ、複数の部屋の水平方向一端部から他端部までを横幅とする外壁部と、複数の部屋それぞれの窓部が帯状に連ねられ、外壁部の全横幅に亘って延在する連窓とを含む。各住宅において、外壁部の少なくとも一部が、外壁部の横幅方向に沿って広がる開口部付きの耐力壁によって構成され、かつ、連窓が、耐力壁の開口部の位置に設けられている。住宅群において、隣り合う住宅それぞれの連窓の設置高さは、異なっている。
【００１５】
好ましくは、隣り合う住宅それぞれの外壁部は、対面状態で配置されている。
【００１６】
あるいは、複数の住宅は、通路に沿って隣り合っており、外壁部は、通路に面して配置されていてもよい。
【発明の効果】
【００１７】
本発明によれば、住宅の構造強度を維持しつつ、意匠性を向上させることができる。
【図面の簡単な説明】
【００１８】
【図１】本発明の実施の形態１に係る住宅を正面側から見た外観図である。
【図２】本発明の実施の形態１に係る住宅の２階部分の概略構成を示す平面図である。
【図３】本発明の実施の形態１における耐力壁のフレーム構造を模式的に示す図である。
【図４】本発明の実施の形態１に係る住宅の１階部分の概略構成を示す平面図である。
【図５】本発明の実施の形態１の変形例に係る住宅の２階部分の概略構成を示す平面図である。
【図６】本発明の実施の形態２に係る住宅群の構成を概念的に示す図である。
【図７】本発明の実施の形態２に係る住宅群において隣り合う複数の住宅の正面を模式的に示す図である。
【図８】本発明の実施の形態２の変形例に係る住宅群の構成を概念的に示す図である。
【図９】公知の耐力壁フレームを示す図である。
【発明を実施するための形態】
【００１９】
本発明の実施の形態について図面を参照しながら詳細に説明する。なお、図中同一または相当部分には同一符号を付してその説明は繰返さない。
【００２０】
＜実施の形態１＞
はじめに、図１および図２を参照して、本実施の形態に係る住宅１の概要について説明する。住宅１は、典型的には一戸建ての住宅である。住宅１は、たとえば、鉄骨系の２階建て建物であり、北向きである。
【００２１】
住宅１の外壁２は、住宅１の屋内空間を取り囲むように配置されている。具体的には、外壁２は、平面視において、たとえば略矩形形状に配置されている。この場合、外壁２は、平面視において住宅１の四辺をそれぞれ構成する４つの外壁部２１〜２４によって構成されている。これらのうち外壁部２１は、住宅１の正面側に配置されている。また、外壁部２２は、住宅１の一方の側面側に配置され、外壁部２３は、住宅１の他方の側面側に配置されている。外壁部２４は、住宅１の背面側に配置されている。
【００２２】
なお、住宅１の正面側とは、たとえば、玄関扉１１ａが設けられる側か、屋外の通路に面する側を表わしている。本実施の形態では、住宅１の玄関扉１１ａが、外壁部２１の１階部２１１における横幅方向一方端部側に設けられている。図１および図２には、外壁部２１の横幅方向が矢印Ａ１にて示されている。
【００２３】
住宅１においては、正面側の外壁部２１の２階部２１２の屋内面に沿って、複数の部屋８が設けられている。これらの部屋８は、外壁部２１の全横幅に亘り、互いに隣接して配置されている。つまり、外壁部２１は、複数の部屋８に跨って延在し、複数の部屋８の水平方向一端部から他端部までを横幅としている。
【００２４】
本実施の形態では、外壁部２１側に２つの部屋８（８１，８２）が設けられているものと仮定する。図２では、住宅１の２階において、正面の外壁部２１と外壁部２２とに隣接して配置される一方の部屋８１をＡ室、正面の外壁部２１と外壁部２３とに隣接して配置される他方の部屋８２をＢ室として示している。これらの部屋８１，８２は、用途の異なる部屋であり、たとえばＡ室がリビング、Ｂ室が寝室である。なお、リビングおよび寝室は、いずれも居室である。
【００２５】
外壁部２１には、部屋８１，８２それぞれの窓部５１，５２が設けられている。各窓部は、窓枠（サッシ）と、窓枠に嵌め込まれた窓とを含む。窓部５１，５２の窓は、引き違い窓など、開閉可能な窓であることが望ましい。
【００２６】
ここで、本実施の形態では、図１に示されるように、これらの窓部５１，５２は、帯状に連ねられて連窓５を構成している。つまり、Ａ室の窓部５１およびＢ室の窓部５２が、外壁部２１の横幅方向に沿って一列に、互いに隣接または近接して配置されている。より具体的には、窓部５１，５２の高さ寸法が等しく、かつ、隣り合う窓部５１，５２同士の窓枠が、隣接または近接した状態で配置されている。
【００２７】
連窓５（窓部５１，５２）の高さ寸法は、一般的な小窓の高さ寸法以下である。具体的には、連窓５の高さ寸法は、７０ｃｍ以下であることが望ましく、さらに望ましくは５０ｃｍ以下である。また、連窓５は、２階の部屋８の中央高さよりも天井側の位置であって、たとえば天井際の位置に設けられている。この場合、これらの窓部５１，５２は、いわゆる高窓として機能する。
【００２８】
図１に示されるように、連窓５は、外壁部２１の横幅方向一端部から他端部にまで、外壁部２１の全横幅に亘って延在している。そのため、連窓５によって外壁部２１を上下方向に分断したような印象が得られ、住宅１の正面側の印象をデザイン性のある独創的な印象とすることができる。
【００２９】
また、帯状の連窓５が、用途の異なる部屋８１，８２の境界部を跨るように配置されるため、住宅１の正面側に配置される部屋８１，８２の用途を想像し難くすることができる。したがって、住宅１によれば、居住者のプライバシーを保護することもできる。
【００３０】
ところで、住宅１では、その構造強度を高く維持するために、外壁２、すなわち外壁部２１〜２４は、部分的に耐力壁を有している。この場合、上記のような連窓５の配置を実現するためには、正面側の外壁部２１の少なくとも一部は、外壁部２１の横幅方向に沿って広がる開口部付きの耐力壁によって構成されているものとする。開口部付きの耐力壁は、たとえば特許文献１において提案されている公知の耐力壁フレームによって構成されていてもよい。公知の耐力壁フレームについて、図９を参照して簡単に説明する。
【００３１】
図９を参照して、耐力壁フレーム６は、互いに間隔をあけて設けられた一対の柱６１，６２と、柱６１，６２間に両端が接合された複数の梯子状ユニット６３とを含む。柱６１，６２の両端部は、梁などの躯体部６４，６５に接合される。具体的には、上側の躯体部６４は、梁であり、下側の躯体部６５は、梁、基礎、または基礎上に配置された土台である。
【００３２】
各梯子状ユニット６３は、耐力ユニットとして機能し、上下に離れた一対の横桟６３１，６３２と、これら横桟６３１，６３２に接合された複数の縦桟６３４とを有している。横桟６３１，６３２間に設けられた複数の縦桟６３４は、せん断力負担部材６３３を構成している。
【００３３】
一対の柱６１，６２間において、たとえば３つの梯子状ユニット６３が、上端部、下端部、および中央部にそれぞれ設けられる場合、左右の柱６１，６２と、上下方向に隣り合う梯子状ユニット６３とで囲まれる領域に、開口部６０が形成されている。
【００３４】
住宅１の外壁部２１には、このような耐力壁フレーム６により構成された、開口部６０付きの耐力壁が部分的に配置されている。この場合における、外壁部２１の２階部２１２のフレーム構造例について、図３を参照して説明する。
【００３５】
図３を参照して、外壁部２１の２階部２１２においては、たとえば、Ａ室の位置に耐力壁７１と非耐力壁７２とが並べて配置され、Ｂ室の位置には耐力壁７１のみが配置されている。耐力壁７１は、耐力壁フレーム６により構成されている。
【００３６】
この場合、Ｂ室の窓部５２は、耐力壁７１の開口部６０の位置に設けられる。つまり、Ｂ室の窓部５２全体の窓枠が、開口部６０の周囲に取付けられる。これに対し、Ａ室の窓部５１は、横幅方向における一部分が、耐力壁７１の開口部６０の位置に設けられる。この場合、Ａ室の窓部５１は横幅方向に隣接する複数の窓枠を含み、複数の窓枠のうちの１つが、開口部６０の周囲に取付けられる。このように、窓部５１，５２が開口部６０の位置に配置されるため、窓部５１，５２を含めた連窓５の高さ寸法は、開口部６０の高さ寸法と略等しい。
【００３７】
図１に示すように連窓５を２階の部屋８の天井付近に設ける場合には、耐力壁フレーム６の複数の梯子状ユニット６３は、１対の柱６１，６２と躯体部６４，６５とで囲まれる領域のうち、上端部を除く領域に配置される。これにより、左右の柱６１，６２と、躯体部６４と、上端側に位置する梯子状ユニット６３とで囲まれる領域に、開口部６０を形成することができる。このような耐力壁フレーム６を用いる場合、上下方向における梯子状ユニット６３の配置位置を調整するだけで、連窓５を所望の高さに配置することができる。
【００３８】
なお、耐力壁７１の梯子状ユニット６３は、上記特許文献２に開示されたような荷重伝達ユニットとして機能してもよい。また、１対の柱６１，６２間において上下方向に間隔をあけて配置されるユニットは、耐震性および制震性の少なくとも一方を満たすことができれば梯子状のものに限定されない。また、耐力壁の構造は、１対の柱６１，６２間に複数のユニットが設けられるものに限定されず、たとえば上記特許文献３に示されるように、開口部以外の部分が、補強用面材によって補強された構造であってもよい。
【００３９】
また、本実施の形態では、外壁部２１の一部が耐力壁７１によって構成されることとしたが、外壁部２１の全てが耐力壁７１によって構成されてもよい。
【００４０】
以上説明したように、連窓５は、耐力壁７１の開口部６０の位置に配置されるため、連窓５を構成する窓部５１，５２から、耐力壁の補強部材（たとえば筋交）の一部が露出してしまうことがない。したがって、住宅１によれば、構造強度を高く維持しつつ、意匠性を向上することができる。
【００４１】
なお、外壁部２１の２階部２１２に沿って配置される部屋８１，８２は、それぞれ異なる用途の居室であることとしたが、これらはともに、同じ用途の居室（たとえば寝室）であってもよい。あるいは、部屋８１，８２の少なくとも一方は、居室ではなく、廊下やサニタリー室（たとえばトイレ）といった非居室であってもよい。また、外壁部２１の２階部２１２に沿って配置される部屋８の個数は、３以上であってもよい。
【００４２】
また、本実施の形態では、連窓５を構成する窓部５１，５２は、２階の部屋８の天井高さ付近に設けられる高窓に相当することとしたが、限定的ではない。たとえば、各窓部５１，５２は、２階の部屋８の床面高さ付近に設けられた地窓に相当してもよいし、２階の部屋８の中央高さ付近に設けられた腰高窓に相当してもよい。すなわち、連窓５の設置高さは、部屋８１，８２の室内構成や住宅１の正面側の環境等に応じて定めればよい。
【００４３】
また、住宅１の意匠性をより向上させるためには、図１に示されるように、住宅１の外壁部２１の１階部２１１、すなわち、Ａ室およびＢ室が設置された階と異なる階の外壁部にも、帯状に延在する連窓４が設けられてもよい。連窓４は、１階の玄関１１の隣に設けられた複数の部屋３の窓部によって構成されている。１階の部屋３の構成例については、図４を参照して説明する。
【００４４】
上述のように住宅１は北向きであることから、１階の正面側の各部屋３は、サニタリー室である場合が多い。サニタリー室は、主に衛生を目的とした水廻りの個室を表わす。本実施の形態では、外壁部２１の１階部２１１の屋内面に沿って、３つのサニタリー室、すなわち、浴室３１、洗面室３２、およびトイレ室３３が、互いに隣接して配置されている。つまり、外壁部２１の１階部２１１は、これらのサニタリー室３に跨って延在している。
【００４５】
この場合、１階の連窓４は、浴室３１、洗面室３２、およびトイレ室３３それぞれの窓部４１，４２，４３が帯状に連ねられることによって構成されている。連窓４の設置位置は、たとえば、２階の連窓５の設置位置と同じく、１階の部屋の天井付近に設けられていてもよい。また、連窓４の高さ寸法は、連窓５と同じ高さ寸法であってもよい。このように、１階の連窓４が高い位置に設けられる場合、通行人の目線を避けることができる。また、浴室３１の湯気を窓部４１から排出することができる。なお、窓部４１〜４３の窓ガラスは、外部からの視線を遮断する機能を有していてもよい。
【００４６】
１階の連窓４は、複数の部屋３の水平方向一端部から他端部まで延びている。したがって、図１に示されるように、住宅１を正面から見た場合、外壁部２１の１階部２１１においても、玄関扉１１ａ以外の部分を、連窓４によって上下方向に分断したような印象を与えることができる。したがって、住宅１のファサードを、より斬新なデザインとすることができる。
【００４７】
また、浴室３１、洗面室３２、およびトイレ室３３それぞれの窓部４１，４２，４３が帯状の連窓４とされることにより、サニタリー室が集中する北側の外壁部２１を、住宅１のファサードとして成り立たせることができる。
【００４８】
また、本実施の形態の住宅１によれば、連窓４の奥に位置する部屋が、サニタリー室であることを想像し難くすることができる。したがって、住宅１によれば、居住者のプライバシーをより十分に保護することができる。なお、住宅１の１階の正面側において、玄関１１に並んで配置される複数の部屋３の少なくとも１つは、サニタリー室でなくてもよい。
【００４９】
また、連窓４，５の各階における相対高さは、異なっていてもよい。たとえば、１階の連窓４が高窓に相当し、２階の連窓５が地窓に相当してもよい。
【００５０】
（変形例）
図５は、本実施の形態の変形例に係る住宅１Ａの２階部分の概略構成を示す平面図である。
【００５１】
図５を参照して、住宅１Ａにおいて、一方の部屋８１は、正面側の外壁部２１に窓部５１ａを有しているだけでなく、外壁部２１の横幅方向一方端部に隣接する側面側の外壁部２２にも窓部５１ｂを有している。同様に、他方の部屋８２は、正面側の外壁部２１に窓部５２ａを有しているだけでなく、外壁部２１の横幅方向他方端部に隣接する側面側の外壁部２３にも窓部５２ｂを有している。
【００５２】
外壁部２２の窓部５１ｂおよび外壁部２３の窓部５２ｂは、窓部５１ａ，５２ａによって構成される正面側の連窓５と同じ高さ寸法であり、連窓５と連続的に配置されている。つまり、住宅１Ａでは、側方の窓部５１ｂ，５２ｂも含めて、平面視においてＵ字状（コの字状）の連窓が設けられている。これにより、住宅１Ａの意匠性をより向上させることができる。
【００５３】
なお、この場合、正面側の連窓５と側面側の窓部５１ｂ，５２ｂとの一体感を出すために、連窓５の高さ範囲において、外壁部２１と外壁部２２との連結部分、および、外壁部２１と外壁部２３との連結部分のコーナーカバーの色を、各窓部のサッシと同じ色にしてもよい。
【００５４】
また、ここでは、双方の側壁、すなわち外壁部２２，２３に、連窓５に連続する窓部５１ｂ，５２ｂが設けられることとしたが、一方の側壁にのみ、連窓５に連続する窓部が設けられてもよい。すなわち、平面視においてＬ字状の連窓が設けられていてもよい。
【００５５】
また、側壁の窓部５１ｂ，５２ｂのうちの少なくとも一方は、部屋８よりも奥（住宅１の背面側）に配置される他の部屋の窓部（図示せず）とともに、側壁（外壁部２２または２３）の水平方向一端部から他端部まで延びる、他の連窓を構成してもよい。つまり、外壁部２２にも、その横幅方向（図５の矢印Ａ２で示す方向）に沿って帯状に延在する連窓が設けられていてもよく、同様に、外壁部２３にも、その横幅方向（図５の矢印Ａ３で示す方向）に沿って帯状に延在する連窓が設けられていてもよい。
【００５６】
また、住宅１の１階においても、住宅１のコーナーに位置する部屋（トイレ室）３３は、外壁部２３にも、連窓４と連続的に配置される窓部（図示せず）を有していてもよい。
【００５７】
＜実施の形態２＞
次に、図６および図７を参照して、本実施の形態に係る住宅群９について説明する。
【００５８】
図６に示されるように、住宅群９は、たとえば、東西に延びる通路９０の南側（紙面上側）において、通路９０に沿って横方向に隣り合う複数の住宅１Ａ，１Ｂ，１Ｃを備えている。通路９０を挟む住宅群９の向かいには、他の住宅群９００が配置されている。住宅群９００は、通路９０の北側（紙面下側）において、通路９０に沿って横方向に隣り合う複数の住宅１００Ａ，１００Ｂ，１００Ｃを備えている。
【００５９】
なお、本実施の形態において、「隣り合う」とは、横方向に並んで配置される形態に限定されず、向かい合わせで配置される形態も含むものとする。また、背中合わせで配置される形態をも含んでもよい。つまり、２つの住宅が、それぞれの外壁の一部（平面視における住宅の一辺）が対面した状態で配置されていることを、「隣り合う」と表現する。
【００６０】
住宅群９の住宅１Ａ〜１Ｃは、各々、実施の形態１で示した住宅１に相当し、北入りの住宅である。すなわち、各住宅において、通路９０に面する正面側の外壁部２１には、外壁部２１の横幅方向一端部から他端部まで帯状に延在する連窓５が設けられている。これに対し、住宅群９００の住宅１００Ａ〜１００Ｃは、南入りの一般的な住宅である。
【００６１】
住宅群９では、横方向に隣り合う住宅１Ａ〜１Ｃそれぞれにおいて、２階に配置された連窓５の設置高さは、異なっていることが望ましい。具体的には、図７に示されるように、住宅１Ａの連窓５は、たとえば高窓の位置に設けられ、住宅１Ｂの連窓５は、たとえば腰窓の位置に設けられ、住宅１Ｃの連窓５は、たとえば地窓の位置に設けられている。
【００６２】
このように、同一方向を向く外壁部２１の連窓５の設置高さを、横方向に隣り合う住宅間で異ならせることで、住宅群９の街並み全体の意匠性を向上させることができる。なお、図７では、各住宅において、１階床面を基準とした連窓４の相対高さと、２階床面を基準とした連窓５の相対高さとを、一致させた例が示されている。
【００６３】
また、都心部においては、住宅が通路９０際に建てられることなどから、一般的に、住宅の正面の窓は、シャッターやカーテンにより隠されたままであることが多い。これに対し、住宅群９の住宅１Ａ〜１Ｃにおいては、正面に高さ寸法を抑えた連窓５（および４）が配置されているため、シャッターやカーテンを閉めなくても外部視線からプライバシーを保護することができる。したがって、本実施の形態では、連窓５を有効に利用して、住宅の正面側からの採光および通風を可能とすることができる。
【００６４】
また、他の住宅群９００の住宅１００Ａ〜１００Ｃは南向きであるため、住宅１００Ａ〜１００Ｃでは、上階（たとえば２階）の通路９０側に、大開口（掃出し窓）を有するベランダが配置されることが想定される。しかし、住宅群９において、住宅１Ａ〜１Ｃの正面側の窓は、高さ寸法が抑えられた帯状の連窓４，５のみである。したがって、たとえば、住宅１Ａと一般的な住宅１００Ａとが完全に向かい合っていたとしても、向かいの住宅１００Ａの大開口からの視線を気にすることなく寛ぐことができる。
【００６５】
また、住宅１Ａのように、最上階（たとえば２階）の連窓５が高窓の位置に配置されているような場合には、対面状態で隣り合う住宅１Ａ，１００Ａ間の距離（間隔）Ｌ１が短くても、住宅１Ａの最上階から連窓５を介して空を眺めることができる。したがって、本実施の形態に係る住宅群９は、各住戸の建坪の小さい都心部にも適用することができる。
【００６６】
（変形例１）
図８は、本実施の形態の変形例に係る住宅群９Ａの構成を概念的に示す図である。
【００６７】
図８に示されるように、本変形例では、通路９０がたとえば南北に延びている。この場合、住宅群９Ａは、通路９０の東側（紙面左側）に配置された複数の住宅１Ａ，１Ｂと、通路９０の西側（紙面右側）に配置された複数の住宅１Ｃ，１Ｄとを備えている。
【００６８】
これらの住宅１Ａ〜１Ｄは、いずれも実施の形態１で示した住宅１に相当するが、その向きは、北向きではなく西向きまたは東向きである。具体的には、住宅１Ａ，１Ｂは西向きであり、住宅１Ｃ，１Ｄは東向きである。住宅１Ａおよび１Ｂは、それぞれ、住宅１Ｃおよび１Ｄと対面状態で隣り合っている（向かい合っている）。
【００６９】
このような住宅群９Ａにおいては、通路９０を挟んで向かい合う住宅の正面側の外壁部２１における連窓５の設置高さは、異なっていることが望ましい。具体的には、住宅１Ａにおける連窓５はたとえば高窓の位置に設けられ、その向かいの住宅１Ｃにおける連窓５はたとえば地窓の位置に設けられている。これにより、対面状態で配置された双方の住宅１Ａ，１Ｃにおいて、視線の交差が避けられるため、互いのプライバシーを確保することができる。
【００７０】
あるいは、図５に示した住宅１Ａのように、側面側の外壁部２２，２３にまで、連窓５が延在している場合には、横方向に隣り合う住宅１Ａ，１Ｂにおける連窓５の設置高さが異なることで、住宅１Ａ，１Ｂ間においても視線の交差を避けることができる。
【００７１】
そのため、同一方向（西）を向いて並ぶ住宅１Ａ，１Ｂが近接して建てられており、住宅１Ａ，１Ｂ間の距離（間隔）Ｌ２が非常に短い場合であっても、対面状態で配置される外壁部２２，２３の窓部５１ｂ，５２ｂをカーテンなどにより閉鎖することなく有効に利用することができる。つまり、このような場合であったとしても、住宅１Ａの外壁部２２および住宅１Ｂの外壁部２３の双方において、採光および通風を可能とすることができる。
【００７２】
なお、住宅群９Ａは、通路９０に沿って横方向に隣り合う２つの住宅１Ａ，１Ｂ（または１Ｃ，１Ｄ）のみを備えていてもよいし、通路９０を挟んで向かい合う２つの住宅１Ａ，１Ｃ（または１Ｂ，１Ｄ）のみを備えていてもよい。
【００７３】
以上説明した各実施の形態では、連窓５（および４）は、住宅１の正面側に配置されることとしたが、限定的ではない。つまり、連窓５は、住宅１の側面側の外壁部２２，２３または背面側の外壁部２４にのみ設けられてもよい。この場合、連窓５が設けられる外壁部は、他の住宅の外壁と対面状態で配置されていてもよい。
【００７４】
たとえば上記のように、連窓５が住宅１の側面側または背面側の外壁部に配置されるような場合には、外壁部の横幅方向一端部から他端部まで延在する連窓５は、住宅１の１階に設けられてもよい。つまり、複数の部屋８は、同一階に設けられていればよい。あるいは、住宅１の１階および２階の双方に、このような連窓５が設けられてもよい。
【００７５】
また、住宅１は、複数階建てでなく、１階建てであってもよい。
【００７６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７７】
１，１Ａ，１Ｂ，１Ｃ，１００Ａ，１００Ｂ，１００Ｃ  住宅、２  外壁、３，８，８１，８２  部屋、４，５  連窓、６  耐力壁フレーム、９，９Ａ  住宅群、１１  玄関、１１ａ  玄関扉、２１〜２４  外壁部、３１  浴室、３２  洗面室、３３  トイレ室、４１〜４３，５１，５２，５１ａ，５２ａ，５１ｂ，５２ｂ  窓部、６０  開口部、６１，６２  柱、６３  梯子状ユニット、６４，６５  躯体部、７１  耐力壁、７２  非耐力壁、９０  通路、６３１，６３２  横桟、６３３  せん断力負担部材、６３４  縦桟。
【図１】
2016132916.tif 000003
【図２】
2016132916.tif 000004
【図３】
2016132916.tif 000005
【図４】
2016132916.tif 000006
【図５】
2016132916.tif 000007
【図６】
2016132916.tif 000008
【図７】
2016132916.tif 000009
【図８】
2016132916.tif 000010
【図９】
2016132916.tif 000011